(57)【特許請求の範囲】
【請求項１】
横桟体の上下面の片面又は両面の長手方向に摺動用凹溝を形成し、該摺動用凹溝の開口の両側に内側に突出する鍔辺を夫々形成し、前記摺動用凹溝に摺動自在に内装する略矩形状の摺動基部は両端辺に前記摺動用凹溝２の両側の側面に絶えず弾性を付与するように略八字状の弾性摺動手段を夫々形成し、該摺動基部の上方に前記摺動用凹溝の開口から突出させると共に展示側の鍔辺を跨ぐように橋渡し片を延設し、該橋渡し片の先端に前記横桟体の前面を押圧して展示物を展示するための挟持片を延設した展示具本体を備えると共に、前記展示具本体の橋渡し片と挟持片とに略矩形状の枢動用穴を穿設し、該枢動用穴に前記横桟体の長手方向に沿った一辺にヒンジ手段を介装して垂直位置から水平位置に枢動可能な枢動片を挿入させ、該枢動片の裏側に展示側の鍔辺の内側角部と当接可能な突起部を突設し、前記枢動片を垂直位置から水平位置に枢動させることにより突起部で展示側の鍔辺の内側角部を押圧して展示具本体を弾性摺動手段の弾性に抗して非展示側に移動させ挟持片の展示物の挟持力を増大させることを特徴とする展示枠体用展示具。
【発明の詳細な説明】
【技術分野】
【０００１】
本発明は展示枠体用展示具に関するものであり、更に、詳細には、横桟体の上面又は下面に摺動用凹溝を形成し、該摺動用凹溝に展示具本体を摺動自在に装着し、展示具本体に展示物を挟持するための挟持片を備えたことにより一本の横桟体でも、横桟体を備えた大型の展示枠体でも容易に展示できる展示枠体用展示具に関するものである。
【背景技術】
【０００２】
従来、この種の展示枠体用展示具は、各種開発されて使用されているが、一本の横桟体や大型の展示枠体の横桟体においては、展示物のサイズが一定でなく、且つ、展示枠体とのサイズが合わないため展示具を用いての展示では複雑な構造のものや利便性に欠けるものばかりで苦慮しており、結果的には簡易なセロファンテープやガムテープで貼着しているのが実情であり、展示物を取り外すと展示枠体や展示物にテープの接着剤の残痕を残すこととなっていた。
【０００３】
その為に、例えば、先に開示されている、ホルダー部材１のカード用レール部１１の間にプライスカード等を横から挿入するとともに、取付具用レール部１２の間に取付具２の係止板部２１を横から挿入する。このように複数個の取付具２をセットして取り付け状態にする。棚への取り付けに際しては、取付具２における弾性変形可能な嵌入部２２の反発力により棚の凹部分に嵌め込むようにする。ホルダー部材１の幅を大きくしておくことで、幅の大きなプライスカード等を挿入できる。棚には取付具２の嵌入部２２により簡単に取り付けることができ、しかも棚の厚みに多少の大小があっても対応できる。補助レール部１３にＰＯＰ用などのカードを差し込むことで特定の商品をさらにアピールできるもの（特許文献１参照）や、額縁枠２の裏面側に形成した空溝３に装着される額縁の吊紐止具であって、固定手段７を有して空溝３の内部に摺動可能に挿入される板状のスライド片４と、このスライド片４に係着される板状の吊紐締結用の外片５とを備え、スライド片４に穿孔８を形成するとともに、外片５の基部５ａに抜け止めの耳部９を形成してスライド片４の穿孔８に揺動可能に挿入し、かつ外片５を折曲して、外片５の吊紐締結部５ｂがスライド片４と略平行に倒れるように構成するもの（特許文献２参照）や、陳列棚等に設けられた取付部材に取付パーツ１０を介して回動自在に取り付けられる表示本体２の表示角度を調節自在にした表示用ホルダ１において、表示本体２の後方に設けられた案内溝３、３に沿って上下方向に移動するスライドアダプタ４の上方に弾性支持片５が突設されると共に該弾性支持片５の端部（突出部６）が表示本体２の背面に設けられた係止孔７で係止され、スライドアダプタ４の後方に突出された角度調節片８の下面に形成された複数の係止溝９、９…のうち任意の係止溝９が取付パーツ１０の上部の係止片１１に係止される構成を有する（特許文献３参照）等が開示されている。
【特許文献１】特開平８−３３５０４２号公報
【特許文献２】特開２００１−１１２５９７号公報
【特許文献３】特開２００３−２３３３２３号公報
【発明の開示】
【発明が解決しようとする課題】
【０００４】
然し乍ら、先に開示された特許文献１のものは、図２に図示されているように、取付具用レール部１２の間に取付具２の係止板部２１を横から挿入するもので、ホルダー部材１の両側が解放されていないと取付具２の挿脱はできないもので、又、プライスカード等を上方に載置できるもののポスターのような大型の展示物を垂下させるには挟持できないものである。
【０００５】
更に、特許文献２に記載のものでは、額縁枠２の裏面側に形成した空溝３に固定手段７を有して板状のスライド片４を摺動可能に挿入するものであるが、摺動はするものの摺動を固定するためにはビスを必要としており着脱に手間暇がかかるもので、また、大型の展示物を展示するための展示具としては使えないものである。
【０００６】
更には、特許文献３では、表示本体２の後方に設けられた案内溝３、３に沿って上下方向に移動するスライドアダプタ４の上方に弾性支持片５が突設されると共に該弾性支持片５の端部（突出部６）が表示本体２の背面に設けられた係止孔７で係止され、スライドアダプタ４の後方に突出された角度調節片８の下面に形成された複数の係止溝９、９…のうち任意の係止溝９が取付パーツ１０の上部の係止片１１に係止される構成を有するものであるが、構造が複雑で使い勝手が悪いものである。
【課題を解決するための手段】
【０００７】
本発明の展示枠体用展示具は、前述の課題に鑑み、鋭意研鑽の結果、横桟体の上下面の片面又は両面の長手方向に摺動用凹溝を形成し、摺動用凹溝の開口の両側に内側に突出する鍔辺を形成し、摺動用凹溝に摺動自在に内装する略矩形状の摺動基部は両端辺に摺動用凹溝の両側の側面に絶えず弾性を付与するように略八字状の弾性摺動手段を形成し、摺動基部の上方に摺動用凹溝の開口から突出させると共に展示側の鍔辺を跨ぐように橋渡し片を延設し、橋渡し片の先端に横桟体の前面を押圧して展示物を展示するための挟持片を延設した展示具本体を備えると共に、展示具本体の橋渡し片と挟持片とに略矩形状の枢動用穴を穿設し、枢動用穴に横桟体の長手方向に沿った一辺にヒンジ手段を介装して垂直位置から水平位置に枢動可能な枢動片を挿入させ、枢動片の裏側に展示側の鍔辺の内側角部と当接可能な突起部を突設し、枢動片を垂直位置から水平位置に枢動させることにより突起部で展示側の鍔辺の内側角部を押圧して展示具本体を弾性摺動手段の弾性に抗して非展示側に移動させ挟持片の展示物の挟持力を増大させるものである。
【発明の効果】
【０００８】
本発明の展示枠体用展示具は、横桟体の上下面の内側に鍔辺を突設させた摺動用凹溝を形成して摺動自在に摺動基部を内装したため、展示具本体を摺動させて任意の位置に移動でき、橋渡し片と挟持片を延設しているため横桟体の表面と挟持片の先端とで展示物を吊り下げるように展示でき、更に、摺動用凹溝の両側の側面に絶えず弾性を付与すると共に摺動用凹溝の開口より巾狭と成る略八字状の弾性摺動手段を形成しているため、展示枠体の横桟体の両端が塞がれていても前面から挿脱ができ、加えて、枢動片の裏側に突設させた突起部を鍔辺の内側角部に当接して
展示具本体を弾性摺動手段の弾性に抗して非展示側に移動させるために、挟持片が横桟体の表面に密着してしっかりと展示物を挟持するものであり、画期的で極めて実用性の高い発明である。
【発明を実施するための最良の形態】
【０００９】
以下、本発明の展示枠体用展示具の実施例の図面を用いて詳細に説明すると、図１は本発明の展示枠体用展示具の実施例の展示状態の概要を説明するための概要斜視図であり、図２は本発明の展示枠体用展示具の実施例の次の展示状態の拡大斜視図であり、図３は本発明の展示枠体用展示具の実施例の展示具本体の底面図であり、図４は本発明の展示枠体用展示具の実施例の装着状態を示す断面説明図であり、図５は本発明の展示枠体用展示具に用いる横桟体の次実施例の断面説明図であり、図６は本発明の展示枠体用展示具の応用した他の実施例の斜視図であり、図７は本発明の展示枠体用展示具の応用した更にその他の実施例の斜視図である。
【００１０】
本発明は展示枠体用展示具に関するものであり、更に、詳細には、横桟体１の上下面に摺動用凹溝２を形成し、該摺動用凹溝２に展示具本体３の摺動基部３ａを摺動自在に装着し、展示具本体３に展示物Ａを展示する挟持片３ｃを備えたことにより大型の展示枠でも容易に展示できる展示枠体用展示具に関するものであり、横桟体１の上下面の片面又は両面の長手方向に摺動用凹溝２を形成し、該摺動用凹溝２の開口２ａの両側に内側に突出する鍔辺２ｂを夫々形成し、前記摺動用凹溝２に摺動自在に内装する略矩形状の摺動基部３ａは両端辺に前記摺動用凹溝２の両側の側面に絶えず弾性を付与するように略八字状の弾性摺動手段３ｄを夫々形成し、該摺動基部３ａの上方に前記摺動用凹溝２の開口２ａから突出させると共に展示側の鍔辺を跨ぐように橋渡し片３ｂを延設し、該橋渡し片３ｂの先端に前記横桟体１の前面を押圧して展示物Ａを展示するための挟持片３ｃを延設した展示具本体３を備えると共に、前記展示具本体３の橋渡し片３ｂと挟持片３ｃとに略矩形状の枢動用穴３ｅを穿設し、該枢動用穴３ｅに前記横桟体１の長手方向に沿った一辺にヒンジ手段３ｆを介装して垂直位置から水平位置に枢動可能な枢動片３ｇを挿入させ、該枢動片３ｇの裏側に展示側の鍔辺２ｂの内側角部と当接可能な突起部３ｈを突設し、前記枢動片３ｇを垂直位置から水平位置に枢動させることにより突起部３ｈで展示側の鍔辺２ｂの内側角部を押圧して展示具本体３を弾性摺動手段３ｄの弾性に抗して非展示側に移動させ挟持片３ｃの展示物Ａの挟持力を増大させることを特徴とするものである。
【実施例】
【００１１】
即ち、本発明の展示枠体用展示具を装着する横桟体１は、例えば、図４又は図５に図示した断面形状のもので、横桟体１の上下面の片面又は両面の長手方向全長にわたって摺動用凹溝２を形成しており、アルミニウム合金等の軽金属又は硬質合成樹脂で形成されたものであり、図１に図示する如く、展示枠体に組設しても、図２に図示する如く、下方から板状体を挿通させて支持させたものでも構わないものである。
【００１２】
そして、摺動用凹溝２は開口２ａの両側に内側に突出する鍔辺２ｂを形成しているもので、平坦状の底面と、該底面の両側から立設された側面と、該側面の頂辺から内側に突設した鍔辺２ｂとから成り、両側の鍔辺２ｂの間が開口２ａしているものである。
【００１３】
次に、展示具本体３は摺動基部３ａと橋渡し片３ｂと挟持片３ｃとから成るもので、摺動基部３ａは摺動自在に摺動用凹溝２に内装されるものであり、橋渡し片３ｂは摺動基部３ａの上方に一体に形成したもので、摺動用凹溝２の開口２ａから突出させると共に展示側の鍔辺２ｂを跨ぐようにを延設しているものであり、挟持片３ｃは橋渡し片３ｂの先端に一体に延設しているもので、横桟体１の前面を押圧して展示物Ａを展示するためのものである。
【００１４】
更に、本発明の展示具本体３の弾性摺動手段３ｄは、図３に図示する如く、略矩形状の摺動基部３ａの両側に略八字状に延設しているもので、夫々の先端は摺動用凹溝２の両側の側面に絶えず弾性を付与しているものであり、略八字状に開いた先端を狭めると摺動用凹溝２の開口２ａより巾狭と成る弾性変形をするもので、挿脱は横桟体１の摺動用凹溝２の端部からでも、摺動用凹溝２の開口２ａからでも可能なものである。
【００１５】
そして、枢動用穴３ｅは橋渡し片３ｂと挟持片３ｃとに矩形状に穿設しているもので、枢動用穴３ｅの横桟体１の長手方向に沿った一辺と枢動片３ｇの基端辺とにヒンジ手段３ｆを介装して、枢動片３ｇを垂直位置から水平位置に枢動可能に挿入するものであり、実施例ではヒンジ手段３ｆは枢動片３ｇの基端辺を円柱状に形成し、両側端を枢動用穴３ｅの一端辺に両側に刻設した円孔に挿通させて枢動可能としているものである。
【００１６】
次に、突起部３ｈは枢動片３ｇの裏側に突設しているもので、枢動片３ｇは鍔辺２ｂの内側角部と当接させているものであり、枢動片３ｇを垂直位置から水平位置に枢動させることにより突起部３ｈで鍔辺２ｂの内側角部を押圧して展示具本体３を非展示側の弾性摺動手段３ｄの弾性に抗して非展示方向に移動させるものであるが、非展示側の弾性摺動手段３ｄは圧縮され展示側の弾性摺動手段３ｄは拡大するものであるが弾性は夫々に付与された状態と成っているものである。
【００１７】
つまり、展示具本体３を横桟体１の摺動用凹溝２に必要に応じて装着し、横桟体１の表面にポスター等の展示物Ａを当てがい摺動させて任意の位置で枢動片３ｇを垂直位置から水平位置に枢動させることにより展示具本体３が非展示方向に移動され、移動に伴い挟持片３ｃが横桟体１の表面と密着して展示物Ａをしっかりと挟持するものである。
【００１８】
更には、展示具本体３を装着する横桟体１は、図１に図示する如く、少なくとも２本の縦桟体と少なくとも２本の横桟体１とで矩形状の展示部を備えて組設された展示枠体に用いるものであるが、図２に図示する如く、かもい等の板状体の上辺に横桟体１を装着した状態で用いても、図６又は図７に図示する如く、横桟体１の摺動用凹溝２を下方に向けてカード状のプライスカードや商品説明のカード等を上方に向けて展示することも可能なものである。
【産業上の利用可能性】
【００１９】
本発明の展示枠体用展示具は、横桟体への取り付け、取り外しが容易で、任意の位置に自在に移動できるもので、小さいプライスカードから大きいポスター等に至るまで傷つけたり汚したりすることなく展示できるものである。
【図面の簡単な説明】
【００２０】
【図１】図１は本発明の展示枠体用展示具の実施例の展示状態の概要を説明するための概要斜視図である。
【図２】図２は本発明の展示枠体用展示具の実施例の次の展示状態の拡大斜視図である。
【図３】図３は本発明の展示枠体用展示具の実施例の展示具本体の底面図である。
【図４】図４は本発明の展示枠体用展示具の実施例の装着状態を示す断面説明図である。
【図５】図５は本発明の展示枠体用展示具に用いる横桟体の次実施例の断面説明図である。
【図６】図６は本発明の展示枠体用展示具の応用した他の実施例の斜視図である。
【図７】図７は本発明の展示枠体用展示具の応用した更にその他の実施例の斜視図である。
【符号の説明】
【００２１】
Ａ 展示物
１ 横桟体
２ 摺動用凹溝
２ａ 開口
２ｂ 鍔辺
３ 展示具本体
３ａ 摺動基部
３ｂ 橋渡し片
３ｃ 挟持片
３ｄ 弾性摺動手段
３ｅ 枢動用穴
３ｆ ヒンジ手段
３ｇ 枢動片
３ｈ 突起部
【図１】
0004824966.tif 000002
【図２】
0004824966.tif 000003
【図３】
0004824966.tif 000004
【図４】
0004824966.tif 000005
【図５】
0004824966.tif 000006
【図６】
0004824966.tif 000007
【図７】
0004824966.tif 000008